(57)【要約】【課題】ラバーを良好に貼着できると共に、優れた打球感を実現することができる卓球ラケットのラバー貼着用両面粘着シートを提供する。【解決手段】卓球ラケットのラケット板１に、ラバー３を貼着するためのラバー貼着用両面粘着シートである。一面にラバー３に貼着するための強粘着材層２１を有し、他面にラケット板１に貼着するための弱粘着材層２２を有した粘着材層２０が設けられる。粘着材層２０は平面方向に伸び縮みする伸縮性を有して形成される。【選択図】図１
2008074935.tif 000002
【特許請求の範囲】
【請求項１】
卓球ラケットのラケット板に、ラバーを貼着するためのラバー貼着用両面粘着シートであって、
一面に該ラバーに貼着するための強粘着材層を有し、他面に該ラケット板に貼着するための弱粘着材層を有した粘着材層が設けられ、該貼着材層が平面方向に伸び縮みする伸縮性を有して形成されていることを特徴とする卓球ラケットのラバー貼着用両面粘着シート。
【請求項２】
前記強粘着材層と前記弱粘着材層との間に布状または膜状の支持体が配設され、該支持体が平面方向に伸び縮みする伸縮性を有して形成されたことを特徴とする請求項１記載の卓球ラケットのラバー貼着用両面粘着シート。
【請求項３】
卓球ラケットのラケット板に、ラバーを貼着するためのラバー貼着用両面粘着シートであって、
該ラバーに貼着すると共に該ラケット板に貼着する粘着材層が、平面方向に伸び縮みする伸縮性を有して形成されていることを特徴とする卓球ラケットのラバー貼着用両面粘着シート。
【発明の詳細な説明】
【技術分野】
【０００１】
本発明は、卓球ラケットのラケット板に、ラバーを貼着するためのラバー貼着用両面粘着シートに関する。
【背景技術】
【０００２】
従来、卓球ラケットのラケット板に、ラバーを貼着する場合、通常、溶剤型ゴム系接着剤が使用され、卓球選手などは、試合の前などに、自らラケット板またはラバーの接着面に溶剤型接着剤を塗布し、ラバーをラケット板に貼着することを行なっていた。
【０００３】
このため、溶剤型接着剤を塗布し、ラバーをラケット板に貼着する際、必然的に作業を行なう人つまり卓球選手などが人体に有害な有機溶剤を吸引することになり、健康に対する安全性に問題があった。
【０００４】
そこで、従来、樹脂エマルジョンを含む水溶性接着剤を使用して、卓球ラケットのラケット板にラバーを貼着する方法が、下記特許文献１などで提案されている。
【０００５】
しかしながら、この種の水溶性接着剤を使用して、ラケット板またはラバーの接着面に水溶性接着剤を塗布し、ラバーをラケット板に貼着した場合、接着剤の乾燥に時間がかかり、試合の直前、或いは試合の合間に、ラバーを張り替える必要が生じた場合、水溶性接着剤によるラバーの接着では対応ができない、という問題があった。
【特許文献１】特開２００６−１６９４４３号公報
【発明の開示】
【発明が解決しようとする課題】
【０００６】
一方、各種の分野で、各種の物品を貼着するために、汎用の両面粘着シートまたは両面粘着テープが一般に使用されており、この種の汎用の両面粘着シートまたは両面粘着テープを使用して、ラバーをラケット板に貼着することが試みられている。
【０００７】
しかし、現在汎用の両面粘着シートまたは両面粘着テープは、各種の粘着力のものがあり、必要な粘着力で貼着することはできるものの、両面粘着シートまたは両面粘着テープは、従来のラバー接着用のゴム系溶剤型接着剤と比較して、それ自体の伸縮性が非常に小さい。
【０００８】
このため、従来の両面粘着シートまたは両面粘着テープを使用してラバーをラケット板に貼着し、その卓球ラケットで球を打った場合、ゴム系溶剤型接着剤の場合と比較して、打球の伸びがすくない、打球にドライブがかかりにくい、打球にスピンがかかりにくいなど、打球感が悪くなるという課題があった。
【０００９】
本発明は、上述の課題を解決するものであり、ラバーを良好に貼着できると共に、優れた打球感を実現することができる卓球ラケットのラバー貼着用両面粘着シートを提供することを目的とする。
【課題を解決するための手段】
【００１０】
上記課題を解決するために、本発明に係るラバー貼着用両面粘着シートは、卓球ラケットのラケット板に、ラバーを貼着するためのラバー貼着用両面粘着シートであって、一面に該ラバーに貼着するための強粘着材層を有し、他面に該ラケット板に貼着するための弱粘着材層を有した粘着材層が設けられ、該粘着材層が平面方向に伸び縮みする伸縮性を有して形成されていることを特徴とする。
【００１１】
ここで、上記強粘着材層と上記弱粘着材層との間に布状または膜状の支持体が配設され、該支持体が平面方向に伸び縮みする伸縮性を有して構成することができる。なお、粘着材層はその粘着力を調整することにより、一層のみで形成することもできる。
【発明の効果】
【００１２】
上記構成のラバー貼着用両面粘着シートによれば、ラバーに粘着材層の強粘着材層側を貼着し、ラケット板にその弱粘着材層を貼着して、ラバーをラケット板に貼着する。粘着材層は有機溶剤を殆ど含有しないため、従来の溶剤型接着剤を使用した場合のような、使用者の健康を害する虞はない。
【００１３】
また、弱粘着材層をラケット板に貼着するため、選手などが卓球ラケットのラバーを換えるためにラバーを引っ張って剥離作業を行なった場合、粘着材層は、比較的粘着力の弱いラケット板側の弱粘着材層から剥離することになる。
【００１４】
このため、ラケット板の表面を傷つけることなく、剥離できると共に、ラバー側に残った両面粘着シートには、剥離紙を再度貼り付けて、その状態でラバーを保管することができる。そして、粘着材層に汚れがない場合には、その両面粘着シート付きラバーを再度卓球ラケットのラケット板に貼着して、繰り返し使用することができる。
【００１５】
さらに、粘着材層が平面方向に伸び縮みする伸縮性を有して形成されているため、上記構成のラバー貼着用両面粘着シートを用いた卓球ラケットを使用して球を打った場合、従来の溶剤型ゴム系接着剤を用いたときと略同様の打球感が生じ、打球の伸びがよく、打球にドライブやスピンがかかりやすい、という良好な打球感を得ることができる。
【発明を実施するための最良の形態】
【００１６】
以下、本発明の一実施形態を図面に基づいて説明する。図１は卓球ラケットのラケット板１の両面に、ラバー３を貼着する際の分解側面図を示し、図２はラバー３をラケット板１の両面に貼着した状態の側面図を示している。この卓球ラケットのラバー３は、ラケット板１の表面に、ラバー貼着用の両面粘着シート２を用いて貼着される。
【００１７】
このラバー貼着用の両面粘着シート２は、図３に示すように、一面にラバー３に貼着するための強粘着材層２１を有し、他面にラケット板１に貼着するための弱粘着材層２２を有した粘着材層２０が設けられ、粘着材層２０は平面方向に伸び縮みする伸縮性を有して形成されている。また、強粘着材層２１と弱粘着材層２２との間に、布状または膜状の支持体２３が配設され、この支持体２３が平面方向に伸び縮みする伸縮性を有し、粘着材層２０全体として、平面方向に伸び縮みする伸縮性を有して形成される。
【００１８】
強粘着材層２１と弱粘着材層２２は共に、例えばポリウレタン系接着剤から形成することができ、強粘着材層２１は弱粘着材層２２より粘着力が大きく、ラバー３の表面に強粘着材層２１を貼着した場合、充分な粘着力で貼着するように形成される。
【００１９】
また、弱粘着材層２２は強粘着材層２１より粘着力が小さく形成され、ラケット板１の表面に弱粘着材層２２を貼着した場合、ラバー３を剥離方向に引いてラケット板１から剥がす際、弱粘着材層２２がラケット板１の表面から剥離可能な程度に粘着力が弱く形成される。
【００２０】
また、粘着材層２０の厚さについては、国際卓球連盟の規定で、両面粘着シートの厚さは１００μｍ以下、と規定されるため、例えば粘着材層全体で１００μｍ以下に形成する必要があるが、例えば、強粘着材層２１と弱粘着材層２２の厚さを、共に約３０μｍとし、布状または膜状の支持体２３の厚さを、約３０μｍ〜３５μｍに形成すれば、上記規定を満足することができる。支持体２３としては、伸縮する織不、不織布、ゴム状シートなどを使用し、粘着材層２０全体として、平面方向に伸び縮みする伸縮性を有したものとなっている。
【００２１】
上記構成の粘着材層２０を有する両面粘着シート２はその両面に、剥離紙４、４が付着されて出荷されるが、それらの剥離紙４、４は相違した色に着色するとよい。例えば、ラバー３の表面に貼着される強粘着材層２１の剥離紙４は白色とし、ラケット板１に表面に貼着される弱粘着材層２２の剥離紙４はピンクにするなどして、剥離紙４，４を相違した色に着色すれば、ラバー３を貼り付ける際、使用者はその剥離紙を見て、弱粘着材層２２をラケット板１に、強粘着材層２１をラバー３に、とするように、正しく貼着することができる。なお、卓球ラケット用のラバー３は、通常、所定の大きさの方形に裁断されて製造・販売されるため、両面粘着シート２も、同様の方形に裁断して製造・販売することになる。
【００２２】
上記のように構成されたラバー貼着用両面粘着シートは、卓球の選手などが卓球ラケットのラケット板１の表面に、ラバー３を貼着する際に使用される。ラバー３側に、両面粘着シートの粘着材層２０の強粘着材層２１を貼着し、ラケット板１にはその弱粘着材層２２を貼着して、ラバー３をラケット板１の表面に貼着する。なお、ラバー３を貼着した後、ラケット板１の外側にはみ出したラバー３と両面粘着シート２の縁部は切除する。
【００２３】
このように、両面粘着シート２を用いてラバー３をラケット板１に貼着すると、粘着力は直ちに発生し、貼着した後、卓球ラケットを直に使用できるため、試合の直前や合間にも、ラバー３を貼りかえることができる。またこのとき、両面粘着シート２の粘着材層２０は有機溶剤を殆ど含有しないため、従来の溶剤型接着剤を使用した場合のような、有機溶剤の揮発は生じず、使用者の健康を害する虞はない。
【００２４】
また、この両面粘着シート２によりラバー３を貼着した卓球ラケットを使用して球を打った場合、従来の溶剤型ゴム系接着剤を用いたときと略同様の優れた打球感を得ることができる。
【００２５】
つまり、粘着材層２０が平面方向に伸び縮みする伸縮性を有して形成されているため、上記構成の両面粘着シート２を用いてラバー３を貼着した卓球ラケットを使用して球を打った場合、従来の溶剤型ゴム系接着剤を用いたときと略同様の打球感が生じるのであり、具体的には、打球の伸びがよく、打球にドライブやスピンがかかりやすい、という良好な打球感を得ることができる。
【００２６】
一方、ラバー３を貼りかえる場合、ラケット板１からラバー３を引き剥がすことになるが、使用者が卓球ラケットのラバー３を引っ張って剥離作業を行なった場合、両面粘着シート２の粘着材層２０は、比較的粘着力の弱いラケット板１側の弱粘着材層２２から剥離することになる。
【００２７】
このため、ラケット板１の表面を傷つけることなく、剥離できると共に、ラバー３側に残った両面粘着シート２には、剥離紙４を再度貼り付けて、その状態でラバー３を保管することができる。そして、粘着材層２０に汚れがない場合には、その両面粘着シート２付きラバー３を再度卓球ラケットのラケット板１に貼着して、繰り返し使用することができる。
【００２８】
図４は他の実施形態の両面粘着シート５を示している。この両面粘着シート５は、上記と同様に、一面にラバー３に貼着するための強粘着材層５１を有し、他面にラケット板１に貼着するための弱粘着材層５２を有した粘着材層５０が設けられ、粘着材層５０は平面方向に伸び縮みする伸縮性を有して形成されている。強粘着材層５１と弱粘着材層５２との間に、支持体は介装されてなく、強粘着材層５１と弱粘着材層５２は境界面で相互に接することとなる。そして、強粘着材層５１と弱粘着材層５２は平面方向に伸び縮みする伸縮性を有し、粘着材層２０全体として、平面方向に伸び縮みする良好な伸縮性を有して形成される。
【００２９】
強粘着材層５１と弱粘着材層５２は共に、例えばポリウレタン系接着剤から形成することができ、強粘着材層５１は弱粘着材層５２より粘着力が大きく、ラバー３の表面に強粘着材層５１を貼着した場合、充分な粘着力で貼着するように形成される。
【００３０】
また、弱粘着材層５２は強粘着材層５１より粘着力が小さく形成され、ラケット板１の表面に弱粘着材層５２を貼着した場合、ラバー３を剥離方向に引いてラケット板１から剥がす際、弱粘着材層５２がラケット板１の表面から剥離可能な程度に粘着力が弱く形成される。
【００３１】
このように、支持体を介在させずに強粘着材層５１と弱粘着材層５２を境界面で相互に接するように２層形成される粘着材層５０においても、ラバー３を剥離可能に良好に貼着することができ、粘着材層５０全体として、平面方向に伸び縮みする良好な伸縮性を有しているため、球を打った場合、良好な打球感を得ることができる。
【００３２】
なお、上記実施形態では、強粘着材層５１と弱粘着材層５２を形成したが、粘着材層の粘着力を、ラケット板を剥離時に傷つけない程度に弱く、ラバーを確実に保持可能な程度に強く設定すれば、平面方向に伸び縮みする良好な伸縮性を有した一層の粘着材層であっても、実施可能である。
【図面の簡単な説明】
【００３３】
【図１】本発明の一実施形態を示す卓球ラケットのラバーを貼着する前の分解側面図である。
【図２】卓球ラケットにラバーを貼着した状態の側面図である。
【図３】ラバーを貼着するための両面粘着シートの粘着材層の拡大部分断面図である。
【図４】他の実施形態の両面粘着シートの粘着材層の拡大部分断面図である。
【符号の説明】
【００３４】
１  ラケット板
２  両面粘着シート
３  ラバー
２０  粘着材層
２１  強粘着材層
２２  弱粘着材層
２３  支持体
【図１】
2008074935.tif 000003
【図２】
2008074935.tif 000004
【図３】
2008074935.tif 000005
【図４】
2008074935.tif 000006